(57)【要約】【課題】小さい力で網戸に対して確実に取り付け可能であり、着脱時に網戸の網面の変形や破損も防止できる簡単な構造の網戸固定用容器を提供する。【解決手段】網戸固定用容器１は、合成樹脂製の容器本体２と、この容器本体２の背面２ａに形成された傾斜面１０に固定される面ファスナー３とを備える。面ファスナー３は、傾斜面１０に貼り付け固定されるシート状の基材層７と、基材層７から縦方向及び横方向に所定のピッチでマトリクス状に突出する多数の係合突起８とで構成されており、係合突起８は、可撓性の棒状体８ａと、棒状体８ａの先端部に形成され径方向全体に膨らんだ係合頭部８ｂとで構成されている。容器本体２の背面２ａに形成された傾斜面１０に面ファスナー３を貼り付けることにより、背面２ａからの係合突起８の突出量が容器本体２の上方から下方に向かって段階的に減少している。【選択図】図１
2014020090.tif 000002
【特許請求の範囲】
【請求項１】
内容物を収納若しくは支持する容器本体と、
該容器本体の背面から所定のピッチでマトリクス状に突出する多数の係合突起と、
を備え、網戸の網面に対し前記係合突起を係合することで前記網面に取り付け可能な網戸固定用容器であって、
前記係合突起は、可撓性の棒状体と、該棒状体の先端部を径方向に膨張させて形成された係合頭部と、を有し、
前記容器本体の背面に対する前記係合突起の突出量が突出領域内で段階的に変化していることを特徴とする網戸固定用容器。
【請求項２】
前記係合突起は、前記突出領域内で突出量が一定方向に一定の割合で変化するように形成されることを特徴とする請求項１に記載の網戸固定用容器。
【請求項３】
前記係合突起は、前記容器本体の上方から下方に向けて突出量が減少するように形成されることを特徴とする請求項２に記載の網戸固定用容器。
【請求項４】
前記容器本体の背面と、複数の前記係合突起の前記係合頭部を通る平面とのなす角をα、前記容器本体の背面と、突出量が最大である前記係合突起の前記係合頭部と、該係合突起の突出量が減少する方向にある前記容器本体の端縁とを通る平面とのなす角をβとするとき、α＞βであることを特徴とする請求項１又は請求項２に記載の網戸固定用容器。
【請求項５】
前記係合突起は、前記突出領域の一端から所定の範囲で突出量が増大し、突出量が最大となる位置から前記突出領域の他端に向かって突出量が減少するように形成されることを特徴とする請求項１に記載の網戸固定用容器。
【請求項６】
前記係合突起は、前記容器本体の上下方向に突出量が変化するように形成されることを特徴とする請求項５に記載の網戸固定用容器。
【請求項７】
前記容器本体の背面には傾斜面が形成されており、前記傾斜面には、前記係合突起がシート状の基材から所定のピッチでマトリクス状に突出する面ファスナーが貼り付けられていることを特徴とする請求項２乃至請求項４のいずれかに記載の網戸固定用容器。
【請求項８】
前記容器本体の背面には、山形状に突出する突状面が形成されており、前記突状面に前記係合突起がシート状の基材から所定のピッチでマトリクス状に突出する面ファスナーが貼り付けられていることを特徴とする請求項５又は請求項６に記載の網戸固定用容器。
【請求項９】
前記係合突起は、前記容器本体の背面に一体形成されることを特徴とする請求項１乃至請求項６のいずれかに記載の網戸固定用容器。
【請求項１０】
前記係合頭部は球状であることを特徴とする請求項１乃至請求項９のいずれかに記載の網戸固定用容器。
【発明の詳細な説明】
【技術分野】
【０００１】
本発明は、殺虫剤、忌避剤、芳香剤等を収容して網戸の網面に着脱することができる網戸固定用容器に関するものである。
【背景技術】
【０００２】
従来、気温の上昇する春から夏にかけて窓を開放する場合、屋内への虫の侵入を防止するために網戸が広く使用されている。近年、網戸からの虫の侵入を阻止するとともに、虫が網戸に近づくこと自体を防止するために、網戸の表面に取り付ける殺虫剤あるいは防虫剤が用いられている。しかし、網戸はメッシュの材質、メッシュ形状が一定ではなく、固着面も少ないため、垂直面に安定して殺虫剤あるいは防虫剤を収容した容器等を取り付け固着することが困難である。
【０００３】
例えば、粘着剤を用いて殺虫剤あるいは防虫剤を収容した容器を網戸に取り付ける方法も考えられるが、網戸という不安定な設置面に長期間（約半年間）安定して取り付け可能であり、且つ、有効期限終了後は簡単に痕を残さず剥がせることが求められる。そのため、粘着剤には強粘着性、耐候性、耐水性、剥離性等の様々な物性が要求されるが、そのような粘着剤選択は困難であり、また固着安定性にも課題がある。
【０００４】
そこで、殺虫剤や防虫剤を収容したシートやケース等を、網戸に対して簡単に且つ確実に着脱する方法が提案されており、特許文献１には、防虫剤シートの裏面に一方の面ファスナー（例えばループ状係合素子を有する面ファスナー）を貼り付け、これを網戸の網面に押し付け、網面の反対側の面からもう一方の面ファスナー（例えばフック状係合素子を有する面ファスナー）を押し付けることにより、両方の面ファスナーを係合させて防虫剤シートを網戸に取り付けることが記載されている。
【０００５】
また、特許文献２には、機能性物体の裏面に取り付けられた面ファスナーと、網戸の網面を挟んで存在するもう一方の面ファスナーを係合させることにより該機能性物体を網面に取り付けるのに用いられる面ファスナーであって、面ファスナーのいずれか一方が、フック状係合素子の素子密度８〜２４個／ｃｍ２のフック面ファスナーであるものが開示されている。
【０００６】
また、特許文献３には、網戸の網に物体を取り付けるための取り付け具であって、該物体の裏面に取り付けた基板の表面から突出する、先端部に膨頭状の膨らみを有する棒状体が複数本存在しているものが開示されている。
【先行技術文献】
【特許文献】
【０００７】
【特許文献１】特開２００５‐１８０１４８号公報
【特許文献２】特開２０１１−１９０６０４号公報
【特許文献３】特開２０１１−５８１６６号公報
【発明の概要】
【発明が解決しようとする課題】
【０００８】
しかしながら、特許文献１の方法では、一方の面ファスナーと他方の面ファスナーとの間に存在する網面に遮られて面ファスナー同士が十分に近づくことができず、十分な係止力が得られないという問題点があった。また、防虫剤シートを取り外す際に、網面の片側に取り付けた防虫剤シートを剥がすと反対面に取り付けたもう一方の面ファスナーが同時に剥離して落下し、紛失し易いという欠点を有していた。
【０００９】
また、特許文献２の面ファスナーを用いた場合、従来の面ファスナーに比べて係止力は向上するものの、網面の片側に取り付けた面ファスナーを剥がすと反対面に取り付けたもう一方の面ファスナーが同時に剥離して落下するという問題点は解決されていない。また、特許文献１、２の方法では、網戸の外側と内側に手を伸ばして網戸の両面から面ファスナーを圧着させる必要があり、取り付け作業が煩雑であるとともに、取り付け場所も両手が届く範囲に限定されてしまう。
【００１０】
また、特許文献３の方法では、網戸の片面からの圧着のみで物体を固定可能であるが、棒状体の先端部を網戸の網面に圧接し、裏面側に貫通させて固定する際に、複数本の棒状体の先端部が略同時に網面に接触するため、棒状体に加わる応力が分散してしまう。その結果、棒状体の先端部を網面に強い力で圧接させる必要が生じ、網戸への取り付け作業性が低下するという問題点があった。また、物体を網戸に取り付ける際に網面が押し広げられて変形したり、網面を形成するフィラメントが切断されたりするおそれもあった。
【００１１】
本発明は上記問題点に鑑み、小さい力で網戸に確実に取り付け可能であり、着脱時に網戸の網面の変形や破損も防止できる簡単な構造の網戸固定用容器を提供することを目的とする。
【課題を解決するための手段】
【００１２】
上記目的を達成するために本発明は、内容物を収納若しくは支持する容器本体と、該容器本体の背面から所定のピッチでマトリクス状に突出する多数の係合突起と、を備え、網戸の網面に対し前記係合突起を係合することで前記網面に取り付け可能な網戸固定用容器であって、前記係合突起は、可撓性の棒状体と、該棒状体の先端部を径方向に膨張させて形成された係合頭部と、を有し、前記容器本体の背面に対する前記係合突起の突出量が突出領域内で段階的に変化していることを特徴としている。
【００１３】
また本発明は、上記構成の網戸固定用容器において、前記係合突起は、前記突出領域内で突出量が一定方向に一定の割合で変化するように形成されることを特徴としている。
【００１４】
また本発明は、上記構成の網戸固定用容器において、前記係合突起は、前記容器本体の上方から下方に向けて突出量が減少するように形成されることを特徴としている。
【００１５】
また本発明は、上記構成の網戸固定用容器において、前記容器本体の背面と、前記各係合突起の前記係合頭部を通る平面とのなす角をα、前記容器本体の背面と、突出量が最大である前記係合突起の前記係合頭部と、前記係合突起の突出量が減少する方向にある前記容器本体の端縁とを通る平面とのなす角をβとするとき、α＞βであることを特徴としている。
【００１６】
また本発明は、上記構成の網戸固定用容器において、前記係合突起は、前記突出領域の一端から所定の範囲で突出量が増大し、突出量が最大となる位置から前記突出領域の他端に向かって突出量が減少するように形成されることを特徴としている。
【００１７】
また本発明は、上記構成の網戸固定用容器において、前記係合突起は、前記容器本体の上下方向に突出量が変化するように形成されることを特徴としている。
【００１８】
また本発明は、上記構成の網戸固定用容器において、前記容器本体の背面には傾斜面が形成されており、前記傾斜面には、前記係合突起がシート状の基材から所定のピッチでマトリクス状に突出する面ファスナーが貼り付けられていることを特徴としている。
【００１９】
また本発明は、上記構成の網戸固定用容器において、前記容器本体の背面には、山形状に突出する突状面が形成されており、前記突状面に前記係合突起がシート状の基材から所定のピッチでマトリクス状に突出する面ファスナーが貼り付けられていることを特徴としている。
【００２０】
また本発明は、上記構成の網戸固定用容器において、前記係合突起は、前記容器本体の背面に一体形成されることを特徴としている。
【００２１】
また本発明は、上記構成の網戸固定用容器において、前記係合頭部は球状であることを特徴としている。
【発明の効果】
【００２２】
本発明の第１の構成によれば、網戸固定用容器を網面に対し略平行に保持した状態で網面に圧接させたとき、突出領域内で突出量が最大である一部の係合突起が最初に網面に接触する。その結果、突出量が最大である係合突起に網戸固定用容器に加えられる圧接力（応力）が集中するため、係合突起は網面の隙間に円滑に挿入される。従って、網戸固定用容器を少ない力で簡単に、且つ確実に固定することができる。また、網面に加わる応力も小さくできるため、網面の変形や破損も防止できる。
【００２３】
また、本発明の第２の構成によれば、上記第１の構成の網戸固定用容器において、係合突起を、突出領域内で突出量が一定方向に一定の割合で変化するように形成することにより、網戸固定用容器に加えられる圧接力が、突出量が最大である係合突起から突出量が減少する方向に並ぶ係合突起に順次集中する。従って、係合突起をより円滑に挿入することができる。
【００２４】
また、本発明の第３の構成によれば、上記第２の構成の網戸固定用容器において、容器本体の上方から下方に向けて突出量が減少するように係合突起を形成したので、容器本体の背面から突出する係合突起が網面に向かって下向きに傾斜する。従って、係合突起が網面の隙間から抜け難くなり、網戸固定用容器を網面により確実に装着することができる。
【００２５】
また、本発明の第４の構成によれば、上記第２又は第３の構成の網戸固定用容器において、容器本体の背面と、各係合突起の係合頭部を通る平面とのなす角をα、容器本体の背面と、突出量が最大である係合突起の係合頭部と、係合突起の突出量が減少する方向にある容器本体の端縁とを通る平面とのなす角をβとするとき、α＞βを満たすことにより、容器本体が最大限傾斜した状態で網面に圧接された場合でも、突出量が最大である係合突起から網面に順次接触する。従って、網戸固定用容器をどのような角度で網面に圧接した場合でも、網戸固定用容器を少ない力で簡単に、且つ確実に固定することができる。
【００２６】
また、本発明の第５の構成によれば、上記第１の構成の網戸固定用容器において、係合突起を、突出領域の一端から所定の範囲で突出量が増大し、突出量が最大となる位置から突出領域の他端に向かって突出量が減少するように形成することにより、網戸固定用容器に加えられる圧接力が、突出量が最大である係合突起から突出量が減少する方向に並ぶ係合突起に順次集中する。従って、係合突起をより円滑に挿入することができる。
【００２７】
また、本発明の第６の構成によれば、上記第５の構成の網戸固定用容器において、容器本体の上下方向に突出量が変化するように係合突起を形成したので、水平方向に列をなした係合突起が網面に向かって突出する。従って、突出領域の水平方向全域に亘って係合突起が網面と係合するため、網戸固定用容器を網面により安定して装着することができる。
【００２８】
また、本発明の第７の構成によれば、上記第２乃至第４のいずれかの構成の網戸固定用容器において、容器本体の背面に形成した傾斜面に、係合突起がシート状の基材から所定のピッチでマトリクス状に突出する面ファスナーを貼り付けることにより、突出領域内で突出量が一定方向に一定の割合で変化する係合突起を容器本体の背面に簡単に形成することができる。
【００２９】
また、本発明の第８の構成によれば、上記第５又は第６の構成の網戸固定用容器において、容器本体の背面に形成した山形状に突出する突状面に、係合突起がシート状の基材から所定のピッチでマトリクス状に突出する面ファスナーを貼り付けることにより、突出領域の一端から所定の範囲で突出量が増大し、突出量が最大となる位置から突出領域の他端に向かって突出量が減少する係合突起を容器本体の背面に簡単に形成することができる。
【００３０】
また、本発明の第９の構成によれば、上記第１乃至第６の構成の網戸固定用容器において、係合突起を容器本体の背面に一体形成することにより、網戸固定用容器の厚みを薄くすることができ、網戸とガラス戸の隙間に網戸固定用容器を取り付け易くなる。また、網戸固定用容器の組み立て作業性も向上する。
【００３１】
また、本発明の第１０の構成によれば、上記第１乃至第９のいずれかの構成の網戸固定用容器において、係合頭部を球状とすることにより、網面の裏側から突出する係合頭部に人体が触れたとき怪我をするおそれがない。また、係合突起を網面から抜き取る際に網面に引っ掛かり難くなり、網面を変形、破損させることなく網戸固定用容器を容易に取り外すことができる。
【図面の簡単な説明】
【００３２】
【図１】本発明の第１実施形態に係る網戸固定用容器１を背面側から見た斜視図
【図２】第１実施形態の網戸固定用容器１を網面６に固定した状態を示す側面図
【図３】第１実施形態の網戸固定用容器１において、面ファスナー３と網面６とが係合する直前の状態を示す拡大図
【図４】第１実施形態の網戸固定用容器１における、傾斜面１０の傾斜角と容器本体２の傾きとの関係を示す側面図
【図５】第１実施形態の網戸固定用容器１において、傾斜面１０を容器本体２の上方から下方に向かって上り勾配となるように形成した例を示す側面図
【図６】第１実施形態の網戸固定用容器１において、傾斜面１０を容器本体２の水平方向に勾配を有するように形成した例を示す上面図
【図７】本発明の第２実施形態に係る網戸固定用容器１を網面６に固定した状態を示す側面図
【図８】第２実施形態の網戸固定用容器１において、面ファスナー３と網面６とが係合する直前の状態を示す拡大図
【図９】第２実施形態の網戸固定用容器１において、突状面１１を側面視三角形状に形成した例を示す側面図
【図１０】第２実施形態の網戸固定用容器１において、突状面１１を容器本体２の水平方向に円弧状に形成した例を示す上面図
【図１１】本発明の第３実施形態に係る網戸固定用容器１を網面６に固定した状態を示す側面図
【図１２】第３実施形態の網戸固定用容器１において、係合突起８と網面６とが係合する直前の状態を示す拡大図
【図１３】第３実施形態の網戸固定用容器１において、容器本体２の上下方向に突出量が山形状に変化するように係合突起８を形成した例を示す側面図
【図１４】第３実施形態の網戸固定用容器１において、容器本体２の水平方向に突出量が山形状に変化するように係合突起８を形成した例を示す上面図
【発明を実施するための形態】
【００３３】
以下、図面を参照しながら本発明の網戸固定用容器について説明する。図１は、本発明の第１実施形態に係る網戸固定用容器１を背面側から見た斜視図であり、図２は、第１実施形態の網戸固定用容器１を網面６に固定した状態を示す側面図である。網戸固定用容器１は、合成樹脂製の容器本体２と、この容器本体２の背面２ａに形成された傾斜面１０に固定される面ファスナー３とを備える。容器本体２内には液状の薬剤（ここでは防虫剤）を所定量含浸させたシート４が収容されている。容器本体２の正面２ｂにはスリット状の窓部５が形成されており、窓部５はガス化した薬剤の透過を防止する薬剤遮断性フィルムで密封されている。
【００３４】
容器本体２としては、ポリプロピレン、ポリエチレン、ポリエステル、ポリスチレン等の熱可塑性樹脂の射出成形品、あるいは熱可塑性樹脂製のシートを真空成形、圧空成形して得られるシート成形品を使用できる。
【００３５】
薬剤遮断性フィルムとしては、ポリ塩化ビニリデン系樹脂、ポリビニルアルコール、エチレン−ビニルアルコール共重合体フィルム（ＥＶＯＨ）、ポリアミド系樹脂、ポリエステル系樹脂、その他等の樹脂を選択して、そのフィルムを積層して使用することができる。その他、薬剤遮断性フィルムの材料としては、例えば、アルミニウム箔あるいはそのアルミ蒸着膜、あるいは酸化珪素、酸化アルミニウム等の金属酸化物の蒸着膜を延伸フィルムの上に設けることができる。
【００３６】
網戸固定用容器１を取り付ける対象である網面６は、特に限定されないが、１６〜２４メッシュ／インチのもので、網面６を構成しているモノフィラメント６ａ（図３参照）が直径０．２５〜０．３５ｍｍのものが好適である。モノフィラメント６ａは合成繊維であっても、あるいは金属繊維やガラス繊維の表面を樹脂コートしたものでもよい。
【００３７】
図３は、第１実施形態の網戸固定用容器１において、面ファスナー３と網面６とが係合する直前の状態を示す拡大図である。面ファスナー３は、傾斜面１０に貼り付け固定されるシート状の基材層７と、基材層７から縦方向及び横方向に所定のピッチでマトリクス状に突出する多数の係合突起８とで構成されており、係合突起８は、可撓性の棒状体８ａと、棒状体８ａの先端部に形成され径方向全体に膨らんだ（マッシュルーム形状の）係合頭部８ｂとで構成されている。面ファスナー３の基材層７と傾斜面１０とは両面粘着テープ９で固定されている。
【００３８】
棒状体８ａを構成する素材としては、例えばポリオレフィン、ナイロン、ポリエステル、ポリビニルアルコール等のプラスチックや金属が挙げられる。棒状体８ａの長さとしては、網面６を確実に貫通できる長さであることが好ましく、具体的には２ｍｍ〜５ｍｍが好ましい。棒状体８ａの直径は、網面６の隙間６ｂと略同一またはそれよりも細いことが網目に挿入し易いことから好ましい。一方、棒状体８ａが細すぎる場合には、棒状体８ａが容易に曲がり易くなり、網面６への網戸固定用容器１の係止力が低下するため好ましくない。したがって、棒状体８ａの直径は０．４ｍｍ以上が好ましく、より好ましくは０．５ｍｍ以上２．０ｍｍ以下である。一方、金属の場合には、直径０．１〜２．０ｍｍのものが好ましい。
【００３９】
また、係合頭部８ｂの形状についても特に制限はなく、図３に示した球状の他、立方体状、円錐状であっても良い。しかし、係合頭部８ｂの先端が鋭利な形状であると、網面６の裏面から突出する棒状体８ａの係合頭部８ｂに人体が触れたとき怪我をするおそれがある。また、係合頭部８ｂの棒状体８ａとの連結部分が直線状であると、係合突起８を網面６から抜き取る際に網面６に引っ掛かり、網戸固定用容器１を取り外し難くなる。従って、図３のように係合頭部８ｂを球状とすることが好ましい。なお、係合頭部８ｂの直径が網面６の隙間６ｂより大きい場合には、網面６に係合突起８を挿入することが困難となり、網面６を変形または破損するおそれもある。そのため、係合頭部８ｂの直径は隙間６ｂと同等、若しくは隙間６ｂより僅かに小さい程度以下にするのが好ましい。また、
【００４０】
本実施形態の網戸固定用容器１に用いられる面ファスナー３の具体例としては、例えばマジックピタット（商標、クラレファスニング社製）が挙げられる。
【００４１】
網戸固定用容器１を使用する際は、窓部５から薬剤遮断性フィルムを剥がした状態で、網戸固定用容器１の背面側に固定された面ファスナー３を網戸６の網面に係合することにより、容器本体２内のシート４から薬剤が徐々にガス化する。ガス化した薬剤は、容器本体２の窓部５を通過して外部に蒸散する。
【００４２】
本実施形態の網戸固定用容器１では、容器本体２の背面２ａに形成された傾斜面１０に面ファスナー３を貼り付けることにより、背面２ａからの係合突起８の突出量が容器本体２の上方から下方に向かって段階的に減少している。
【００４３】
この構成によれば、網戸固定用容器１を網面６に対し略平行に保持した状態で容器本体２の背面２ａを網面６に圧接させたとき、図２に示すように、傾斜面１０の最上方に位置する、面ファスナー３の幅方向（図２の紙面と垂直な方向）に並ぶ一列（または複数列）の係合突起８が最初に網面６に接触する。その結果、網面６に対する面ファスナー３（係合突起８）の接触面積が小さくなり、網戸固定用容器１に加えられる圧接力（応力）が最上方に位置する一部の係合突起８に集中するため、最上方に位置する係合突起８は網面６の隙間６ｂに円滑に挿入される。
【００４４】
その後、網戸固定用容器１をさらに網面６に圧接させていくと、最上方に位置する係合突起８の下方に隣接する、次の一列（または複数列）の係合突起８が網面６に接触する。さらに、その下方に並ぶ複数列の係合突起８も順次網面６に接触する。即ち、網戸固定用容器１に加えられる圧接力（応力）が、傾斜面１０に沿って並ぶ各列の係合突起８に集中するため、最上方に位置する係合突起８と同様に、各列の係合突起８も網面６の隙間６ｂに円滑に挿入される。
【００４５】
従って、網面６に対して網戸固定用容器１を少ない力で簡単に、且つ確実に固定することができる。また、網面６に加わる応力も小さくできるため、網面６が変形して隙間６ｂが部分的に広がったり、網面６を形成するモノフィラメント６ａが切れたりするおそれもなくなる。
【００４６】
面ファスナー３を貼り付ける傾斜面１０の位置は特に限定されないが、網面６に対して網戸固定用容器１を安定して取り付けるためには、容器本体２の背面２ａの上部の一箇所ないし二箇所に傾斜面１０を形成し、面ファスナー３を貼り付けることが好ましい。
【００４７】
また、網戸に取り付ける際には、雨により濡れることを少しでも軽減するために、網面６の室内側に取り付けるのが好ましい。その際には、網戸固定用容器１を取り付けたことにより、ガラス戸の開閉が妨げられないように、傾斜面１０を含む容器本体２の厚さは網戸とガラス戸の間隔以内とするのが好ましい。
【００４８】
図４は、本実施形態の網戸固定用容器１における、傾斜面１０の傾斜角と容器本体２の傾きとの関係を示す側面図である。例えば、使用者が上方に手を伸ばして網戸固定用容器１を網戸の高い位置に装着しようとする場合、図４に示すように、容器本体２の上端が網面６から離れる方向に傾き易くなる。
【００４９】
ここで、傾斜面１０の傾斜角（係合頭部８ａを通る平面Ｈと背面２ａとのなす角）をαとし、傾斜面１０の最上方に位置する（突出量が最大である）係合突起８の係合頭部８ａと、係合突起８の突出量が減少する方向にある容器本体２の端縁（ここでは容器本体２の下端）とを通る平面（網面６）と、容器本体の背面２ａとのなす角をβとする。
【００５０】
角度α、βがα＞βの関係にあるときは、図４に示すように、容器本体２が最大限傾斜した状態で網面６に圧接された場合でも、傾斜面１０の最上方に位置する（突出量が最大である）係合突起８から網面６に順次接触する。従って、使用者が網戸固定用容器１をどのような角度で網面６に圧接した場合でも、網戸固定用容器１を少ない力で簡単に、且つ確実に固定することができる。
【００５１】
また、図１〜図４に示した例では、容器本体２の下方から上方に向かって上り勾配である傾斜面１０を形成したが、例えば、図５に示すような容器本体２の上方から下方に向かって上り勾配である傾斜面１０や、図６に示すように、容器本体２の上方（図６の紙面手前側）から見たとき水平方向（図６の左右方向）に勾配を有する傾斜面１０であっても良い。
【００５２】
しかし、容器本体２の下方から上方に向かって上り勾配の傾斜面１０とした場合、傾斜面１０に貼り付けた面ファスナー３の係合突起８が網面６に向かって下向きに傾斜する。従って、係合突起８が網面６の隙間６ｂから抜け難くなり、係合突起８と網面６との係合によって網戸固定用容器１をより確実に支持することができる。
【００５３】
図７は、本発明の第２実施形態に係る網戸固定用容器１を網面６に固定した状態を示す側面図であり、図８は、第２実施形態の網戸固定用容器１において、面ファスナー３と網面６とが係合する直前の状態を示す拡大図である。本実施形態では、容器本体２の背面２ａの略中央部に、側面視円弧状の突状面１１が形成されており、突状面１１に沿って面ファスナー３が貼り付けられている。容器本体２の他の部分の構成、及び面ファスナー３の構成は第１実施形態と同様であるため説明を省略する。
【００５４】
本実施形態の網戸固定用容器１では、容器本体２の背面２ａに形成された突状面１１に面ファスナー３を貼り付けることにより、突状面１１の上端及び下端から中央に向かって背面２ａからの係合突起８の突出量が段階的に増大している。
【００５５】
この構成によれば、網戸固定用容器１を網面６に対し略平行に保持した状態で容器本体２の背面２ａを網面６に圧接させたとき、図８に示すように、突状面１１の中央に位置する、面ファスナー３の幅方向（図８の紙面と垂直な方向）に並ぶ一列（または複数列）の係合突起８が最初に網面６に接触する。その結果、網面６に対する面ファスナー３（係合突起８）の接触面積が小さくなり、網戸固定用容器１に加えられる圧接力（応力）が中央に位置する一部の係合突起８に集中するため、中央に位置する係合突起８は網面６の隙間６ｂに円滑に挿入される。
【００５６】
その後、網戸固定用容器１をさらに網面６に圧接させていくと、中央に位置する係合突起８の上方及び下方に隣接する、次の二列（または複数列）の係合突起８が網面６に接触する。さらに、その上方及び下方に並ぶ複数列の係合突起８も順次網面６に接触する。即ち、網戸固定用容器１に加えられる圧接力（応力）が、突状面１１に沿って並ぶ各列の係合突起８に集中するため、中央に位置する一列分の係合突起８と同様に、各列の係合突起８も網面６の隙間６ｂに円滑に挿入される。
【００５７】
従って、第１実施形態と同様に、網面６に対して網戸固定用容器１を少ない力で簡単に、且つ確実に固定することができる。また、網面６に加わる応力も小さくできるため、網面６が変形して隙間６ｂが部分的に広がったり、網面６を形成するモノフィラメント６ａが切れたりするおそれもなくなる。
【００５８】
面ファスナー３を貼り付ける突状面１１の位置は特に限定されないが、網面６に対して網戸固定用容器１を安定して取り付けるためには、容器本体２の背面の中央部から上部までの範囲において一箇所ないし二箇所の突状面１１を形成し、面ファスナー３を貼り付けることが好ましい。また、網戸固定用容器１を取り付けたことにより、ガラス戸の開閉が妨げられないように、突状面１１を含む容器本体２の厚さは網戸とガラス戸の間隔以内とするのが好ましい。
【００５９】
また、本実施形態では容器本体２の背面に側面視円弧状の突状面１１を形成したが、例えば、図９に示すような側面視三角形状の突状面１１や、図１０に示すように、容器本体２の上方（図１０の紙面手前側）から見たとき水平方向（図１０の左右方向）に円弧状の突状面１１であっても良い。
【００６０】
図７及び図９のように、容器本体２の上下方向に係合突起８の突出量が変化するような突状面１１とした場合、突状面１１に貼り付けた面ファスナー３の水平方向（図７、図９の紙面と垂直な方向）に列をなした係合突起８が網面６に向かって突出する。従って、面ファスナー３の水平方向全域に亘って係合突起８が網面６と係合するため、網戸固定用容器１をより安定して支持することができる。
【００６１】
図１１は、本発明の第３実施形態に係る網戸固定用容器１を網面６に固定した状態を示す側面図であり、図１２は、第３実施形態の網戸固定用容器１において、係合突起８と網面６とが係合する直前の状態を示す拡大図である。本実施形態では、容器本体２の背面２ａに、背面２ａからの突出量が上方から下方に向かって段階的に減少する複数列の係合突起８がマトリクス状に一体形成されている。容器本体２の他の部分の構成は第１実施形態と同様であるため説明を省略する。
【００６２】
この構成によれば、網戸固定用容器１を網面６に対し略平行に保持した状態で容器本体２の背面２ａを網面６に圧接させたとき、図１２に示すように、最上方に位置する一列（または複数列）の係合突起８が最初に網面６に接触する。その結果、網面６に対する係合突起８の接触面積が小さくなり、網戸固定用容器１に加えられる圧接力（応力）が最上方に位置する一部の係合突起８に集中するため、最上方に位置する係合突起８は網面６の隙間６ｂに円滑に挿入される。
【００６３】
その後、網戸固定用容器１をさらに網面６に圧接させていくと、最上方に位置する係合突起８の下方に隣接する、次の一列（または複数列）の係合突起８が網面６に接触する。さらに、その下方に並ぶ複数列の係合突起８も順次網面６に接触する。即ち、網戸固定用容器１に加えられる圧接力（応力）が、各列の係合突起８に集中するため、最上方に位置する係合突起８と同様に、各列の係合突起８も網面６の隙間６ｂに円滑に挿入される。
【００６４】
従って、第１、第２実施形態と同様に、網面６に対して網戸固定用容器１を少ない力で簡単に、且つ確実に固定することができる。また、網面６に加わる応力も小さくできるため、網面６が変形して隙間６ｂが部分的に広がったり、網面６を形成するモノフィラメント６ａが切れたりするおそれもなくなる。
【００６５】
また、本実施形態では容器本体２の背面２ａに傾斜面１０や突状面１１を形成する必要がないため、網戸固定用容器１の厚みを薄くすることができ、網戸とガラス戸の隙間に網戸固定用容器１を取り付け易くなる。さらに、面ファスナー３を貼り付ける必要がないため、網戸固定用容器１の組み立て作業性も向上する。
【００６６】
また、係合突起８の突出量の変化と容器本体２の傾きとの関係についても、第１実施形態と同様に説明できる。即ち、係合頭部８ａを通る平面Ｈと背面２ａとのなす角αと、背面２ａの最上方に位置する（突出量が最大である）係合突起８の係合頭部８ａと、係合突起８の突出量が減少する方向にある容器本体２の端縁（ここでは容器本体２の下端）とを通る平面（網面６）と、容器本体の背面２ａとのなす角βとの関係を、α＞βとすることにより、容器本体２が最大限傾斜した状態で網面６に圧接された場合でも、最上方に位置する（突出量が最大である）係合突起８から網面６に順次接触する。従って、使用者が網戸固定用容器１をどのような角度で網面６に圧接した場合でも、網戸固定用容器１を少ない力で簡単に、且つ確実に固定することができる。
【００６７】
また、本実施形態では、容器本体２の背面２ａに上方から下方に向かって突出量が段階的に減少する係合突起８を形成したが、例えば、図１３に示すように、容器本体２の背面２ａに下方から上方に向かって突出量が山形状に変化するように係合突起８を形成しても良いし、図１４に示すように、容器本体２の上方（図１４の紙面手前側）から見たとき水平方向（図１４の左右方向）に突出量が変化するように係合突起８を形成しても良い。
【００６８】
その他本発明は、上記各実施形態に限定されず、本発明の趣旨を逸脱しない範囲で種々の変更が可能である。例えば、上述した網戸固定用容器１の構成は好ましい一例に過ぎず、薬剤を含浸させたシート４に代えて、ゲル状や半固形状の薬剤を薬剤透過性フィルムの内袋に封入したものを容器本体２内に収納して用いることもできる。また、容器本体２を平板状とし、正面側に薬剤を含浸させたシート４を支持する支持部を設けても良い。
【００６９】
また、上記各実施形態では、棒状体８ａの先端部に径方向全体に膨らんだ係合頭部８ｂが形成された係合突起８を用いているが、これに限らず、例えば、径方向の一箇所または複数箇所が突出したフック状の係合頭部８ｂが棒状体８ａの先端部に形成された係合突起８を用いることもできる。
【産業上の利用可能性】
【００７０】
本発明は、殺虫剤、忌避剤、芳香剤等を収容して網戸に着脱することができる網戸固定用容器に利用可能である。本発明の利用により、網戸に対して簡単に且つ確実に取り付け可能であり、着脱時における網戸の網面の変形や破損も防止できる、簡単な構造の網戸固定用容器となる。
【符号の説明】
【００７１】
１                    網戸固定用容器
２                    容器本体
２ａ                  背面
２ｂ                  正面
３                    面ファスナー
４                    シート材
６                    網面
７                    基材
８                    係合突起
８ａ                  棒状体
８ｂ                  係合頭部
９                    両面粘着テープ
１０                  傾斜面
１１                  突状面
【図１】
2014020090.tif 000003
【図２】
2014020090.tif 000004
【図３】
2014020090.tif 000005
【図４】
2014020090.tif 000006
【図５】
2014020090.tif 000007
【図６】
2014020090.tif 000008
【図７】
2014020090.tif 000009
【図８】
2014020090.tif 000010
【図９】
2014020090.tif 000011
【図１０】
2014020090.tif 000012
【図１１】
2014020090.tif 000013
【図１２】
2014020090.tif 000014
【図１３】
2014020090.tif 000015
【図１４】
2014020090.tif 000016